【事件の表示】
　特願２００１−　６０５３１「スロットマシン」拒絶査定不服審判事件〔平成１４年　９月１０日出願公開、特開２００２−２５３７３０〕について、次のとおり審決する。
【結　論】
　本件審判の請求は、成り立たない。
【理　由】
１．手続の経緯
　本願は、平成１３年３月５日の出願であって、平成１５年１１月２６日付けで拒絶理由が通知され、その指定期間内である平成１６年１月２１日に意見書及び手続補正書が提出され、平成１６年２月１２日付けで最後の拒絶理由が通知され、その指定期間内である同年４月１４日に意見書及び手続補正書が提出され、平成１６年５月１３日付けで同年４月１４日付けの手続補正が却下されるとともに、拒絶査定がなされ、これに対し、平成１６年６月１５日に拒絶査定不服審判が請求され、同年６月２４日付けで手続補正がなされたものである。
　
２．平成１６年６月２４日付けの手続補正についての補正却下の決定
［補正却下の決定の結論］
　　平成１６年６月２４日付けの手続補正（以下、「本件補正」という。）を却下する。
　
［理由］
（１）補正後の本願発明
　本件補正により、特許請求の範囲の請求項１は、
「複数種類の遊技図柄を夫々可変表示可能な複数の回転リール（３，４，５）を有する複数の可変表示手段（３，４，５）を並べて配置した可変表示装置（１０）と、変動停止時の遊技図柄の組合せが特定態様になった場合に遊技者に有利な利益状態を発生させる利益状態発生手段（４６）とを備えたスロットマシンにおいて、
　前記可変表示装置（１０）は、前記複数の回転リール（３，４，５）に夫々対応させて電気的且つ可変に演出表示を行う複数の演出表示手段（３０）を備え、
　前記可変表示装置（１０）の各可変表示手段（３，４，５）は、変動停止状態の回転リール（３，４，５）の複数の遊技図柄を表示可能な複数の表示部（１３）を有し、
　前記各演出表示手段（３０）は、前記複数の表示部（１３）に夫々対応させて文字又はキャラクター又は数字による演出表示を行う複数の演出表示部（１３）を有し、
　前記複数の演出表示部（３１）の各々を対応する表示部（１３）の側方に隣接させて回転リール（３，４，５）の外部に配置した、
　ことを特徴とするスロットマシン。」
と補正された。
　
　上記補正は、請求項１に記載した発明を特定するために必要な事項である「演出表示手段」について「複数の演出表示手段」と限定し、同じく「変動停止状態の複数の遊技図柄」について「変動停止状態の回転リール（３，４，５）の複数の遊技図柄」と限定し、同じく「前記演出表示手段（３０）」について「前記各演出表示手段（３０）」と限定し、同じく「これら表示部（１３）」について「前記複数の表示部（１３）」と誤記の訂正を行い、また同じく「演出表示を行う」について「文字又はキャラクター又は数字による演出表示を行う」と限定するとともに、請求項２に記載した発明を特定するために必要な事項である「複数の演出表示部（３１）の各々を対応する表示部（１３）に隣接させて配置した」の構成を請求項１に繰り込むとともに、該構成について「複数の演出表示部（３１）の各々を対応する表示部（１３）の側方に隣接させて回転リール（３，４，５）の外部に配置した」と限定したものであって、平成１８年改正前特許法第１７条の２第４項第２号の特許請求の範囲の減縮及び同項第３号の誤記の訂正を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開２０００−７９１９１号公報（以下、「引用文献１」という。）には、図面とともに、
【請求項４】  請求項１に記載のゲーム機の表示装置において，前記発光手段は、前記発光素子によって、文字，図形，記号若しくはこれらの結合又はこれらと色彩との結合からなる演出部を形成すること，を特徴とするゲーム機の表示装置。
【０００５】本発明は、照明の光や色をゲームの進行に合わせて制御でき、光の演出を行いながらプレイヤにゲームの状態や結果などを知らせることができるゲーム機の表示装置を提供することを課題とする。
【００１２】【発明の実施の形態】・・・この実施形態のゲーム機の表示装置は、３個の表示ユニット１０（１０Ａ，１０Ｂ，１０Ｃ）と、それらを支持するフレーム４０等とを備えている。また、表示ユニット１０は、ランプユニット（発光手段）２０と、画像ユニット（画像手段）３０とから構成されている。各表示ユニット１０Ａ，１０Ｂ，１０Ｃは、同様の構造であり、３列配置されており、１つの表示装置を構成している。
【００１４】画像ユニット３０は、円筒形の３個のリールドラム３１と、各リールドラム３１に巻かれ、複数の絵柄部３３が形成されたリールテープ３２と、各リールドラム３１を独立して回転駆動する３個のモータ３４等とを備えている
【００１５】つまり、この実施形態の表示装置は、１個あたりのリールドラム３１の内側で縦に３個並べたＬＥＤ基板２２が、基板ケース２３によってリールドラム３１の円周に沿って配置されている。また、１枚のＬＥＤ基板２２は、複数（ここでは５個）のＬＥＤランプ２１を備えており、点灯効果を予め考慮して配置されている。ＬＥＤ基板２２は、縦に３枚並べられており、リールテープ３２の複数の絵柄３３に対して、正面の３つの絵柄３２ａ，３３ｂ，３３ｃを、バックライトとして照らし出せるようになっている。従って、ＬＥＤ基板２２の枚数は、３枚×３列で合計９枚を備えることになる。
【００１８】ＣＰＵ５１は、３列のリールドラム３１のモータ３４を停止させたときに、各ＬＥＤ基板２２のＬＥＤ２１が、正面の９個の絵柄３３をバックライトとして照らし出すことができる。このとき、ＬＥＤ２１は、点灯、点滅、消灯又は発光色が制御され、９個の絵柄３３に関連付けを行うことによって、後述する光が走る効果を含め、光を使った多様なアクションを行うことができ、ゲームの「当たり告知」を含めた演出部となっている。
【００２３】以上詳しく説明したように、本実施形態によれば、以下のような種々の作用・効果がある。
（１）  １つのリールドラム３１が回転・停止するときに、表示される３つの絵柄３３ａ，３３ｂ，３３ｃに対して、各絵柄３３ａ，３３ｂ，３３ｃごとに、複数のＬＥＤ２１を搭載したＬＥＤ基板２２を設け、リールテープ３２の裏から発光させている。このため、ＬＥＤ２１を基板２２上で自由に配置できるので、ゲームの状態や結果に合わせた「発光のレイアウト」を効果的に演出することができる。
【００３２】・・・スロットマシーンを想定して説明したが、パチンコその他の遊戯機械の一部に用いられていてもよい。
との記載が認められる。
　
　また、図１からみて「３個の表示ユニット１０」を並べて配置しているものと認められる。
　
　摘記した上記の記載及びこれらの記載並びに図面からの認定によれば、引用文献１には、
「複数の絵柄部３３が形成されたリールテープ３２が巻かれた３列のリールドラム３１を有する３個の表示ユニット１０を並べて配置した表示装置と、前記３列のリールドラム３１のモータ３４を停止させたときに、プレイヤにゲームの状態や結果などを知らせる手段とを備えたスロットマシーンにおいて、
　前記表示装置は、前記３列のリールドラム３１に、それぞれ縦に３枚並べて配置され、点灯、点滅、消灯又は発光色が制御され、光を使った多様なアクションを行うことができる複数のＬＥＤ２１を搭載した９枚のＬＥＤ基板２２を備え、
　前記表示装置の前記表示ユニット１０は、前記３列のリールドラム３１のモータ３４を停止させたときに、正面の９個の絵柄３３を照らし出すことができるようになっており、
　前記各ＬＥＤ基板２２は、各絵柄３３ごとに設けられ、文字，図形，記号若しくはこれらの結合又はこれらと色彩との結合からなる演出部を形成する複数のＬＥＤ２１を有し、
　前記９枚のＬＥＤ基板２２を、正面の９つの絵柄３３を照らし出せるように、３つのリールドラム３１の内側に配置したスロットマシーン。」
の発明（以下「引用発明」という。）が開示されていると認めることができる。
　
　次に、本願出願前に頒布された特開２０００−６１０２９号公報（以下、「文献２」という。）には、スロットマシンについて、図面とともに、
【００１７】前面パネル２０の表面には、各リール表示窓２０の両側縁沿いに、発光表示器３０がそれぞれ設けられる。各発光表示器３０は、後述する制御装置５０や発光表示回路５７とともに報知手段を構成する。報知手段は、後述する乱数抽選処理で決定された引込対象のシンボルを、そのシンボルに設定された色彩またはその色彩を含む所定のパターンで表示したり、抽選処理の結果を、入賞に至る信頼度に基づいて色分けされた色彩またはその色彩を含む所定のパターンで表示したりして、抽選結果を遊技者に報知する。
との記載が認められる。
　また、図２、３からは、各発光表示器３０が、リール２１の外部に配置されていることが見てとれる。
　
　よって、文献２には、各リール表示窓２０の両側縁沿いに、抽選処理の結果等を色彩またはその色彩を含む所定のパターンで遊技者に報知するための発光表示器３０をリール２１の外部に配置するスロットマシンが記載されている。
　
（３）対比
　そこで、本願補正発明と引用発明とを比較すると、引用発明の「複数の絵柄部３３が形成されたリールテープ３２が巻かれた３列のリールドラム３１」は、本願補正発明の「複数種類の遊技図柄を夫々可変表示可能な複数の回転リール」に相当し、以下同様に、
「３個の表示ユニット１０」は「複数の可変表示手段」に、
「表示装置」は「可変表示装置」に、
「プレイヤ」は「遊技者」に、
「３列のリールドラム３１のモータ３４を停止させたとき」は「変動停止時」に、
「スロットマシーン」は「スロットマシン」に、
「それぞれ縦に３個並べて配置され」は「夫々対応させて」に、
「点灯、点滅、消灯又は発光色が制御され、光を使った多様なアクションを行うことができる複数のＬＥＤ２１を搭載した９枚のＬＥＤ基板２２」は「電気的且つ可変に演出表示を行う複数の演出表示手段」に、
「各絵柄３３ごとに設けられ」は「複数の表示部に夫々対応させて」に、
「文字，図形，記号若しくはこれらの結合又はこれらと色彩との結合からなる演出部を形成する複数のＬＥＤ２１」は「文字又はキャラクター又は数字による演出表示を行う複数の演出表示部」に、それぞれ相当する。
　
　また、引用文献１の記載等から、次のことが言える。
ａ．「３列のリールドラム３１のモータ３４を停止させたときに、正面の９個の絵柄３３を照らし出すことができるようになって」いることは、停止させたときにプレイヤに９個の絵柄を明示する構成を有していることにほかならないから、引用発明の上記構成は、本願補正発明の「変動停止状態の回転リールの複数の遊技図柄を表示可能な複数の表示部を有し」という構成に実質的に相当している。
　
ｂ．引用発明の「９枚のＬＥＤ基板２２」は、本願補正発明の「複数の演出表示部」に相当するとともに、上記ａ．でも述べたように、「ＬＥＤ基板２２」は絵柄３３を明示するためのものであるから、各々が正面の９個の絵柄３３が停止する部分と対応する位置に配置されていることは明らかである。
　そうしてみると、引用発明の「９枚のＬＥＤ基板２２を、正面の９つの絵柄３３を照らし出せるように、３つのリールドラム３１の内側に配置した」構成と、本願補正発明の「複数の演出表示部の各々を対応する表示部の側方に隣接させて回転リールの外部に配置した」構成は、「複数の演出表示部の各々を対応する表示部の回転リールの近傍に配置した」点で共通している。
　
　以上を総合すると、両者は、
「複数種類の遊技図柄を夫々可変表示可能な複数の回転リールを有する複数の可変表示手段を並べて配置した可変表示装置を備えたスロットマシンにおいて、
　前記可変表示装置は、前記複数の回転リールに夫々対応させて電気的且つ可変に演出表示を行う複数の演出表示手段を備え、
　前記可変表示装置の各可変表示手段は、変動停止状態の回転リールの複数の遊技図柄を表示可能な複数の表示部を有し、
　前記各演出表示手段は、前記複数の表示部に夫々対応させて文字又はキャラクター又は数字による演出表示を行う複数の演出表示部を有し、
　前記複数の演出表示部の各々を対応する表示部の回転リールの近傍に配置したスロットマシン。」
の点で一致し、以下の点で相違している。
　
［相違点１］本願補正発明は「変動停止時の遊技図柄の組合せが特定態様になった場合に遊技者に有利な利益状態を発生させる利益状態発生手段」を備えているのに対し、引用発明は、３列のリールドラム３１のモータ３４を停止させたとき、どのような場合にどのようなゲームの状態や結果となるのかが明らかでない点。
　
［相違点２］本願補正発明は、複数の演出表示部（３１）の各々を対応する表示部（１３）の側方に隣接させて回転リール（３，４，５）の外部に配置しているのに対し、引用発明では、９枚のＬＥＤ基板２２（複数の演出表示部に相当）を、３つのリールドラム３１（対応する表示部の回転リールに相当）の内側に配置している点。
　
（４）判断
［相違点１について］
　引用発明においては、３列のリールドラム３１のモータ３４を停止させたとき、どのような場合にどのようなゲームの状態や結果となるのか明らかではないが、スロットマシンが、３列のリールが変動停止した時の図柄の組合せが特定態様になった場合に、遊技者に有利な利益状態を発生させる遊技機であることは一般常識であるから、引用発明のスロットマシーンにおいて、相違点１に係る本願補正発明の構成を採用することは、スロットマシンの分野における通常の知識を有する者（以下、「当業者」という。）にとって何ら困難なことではない。
　
［相違点２について］
　引用発明においては、９枚のＬＥＤ基板２２を、３つのリールドラム３１の内側に配置しているが、上記「２．（２）」に記載した文献２（特開２０００−６１０２９号公報）には、各リール表示窓２０（本願補正発明の「複数の表示部」に相当）の両側縁沿いに、抽選処理の結果等を色彩またはその色彩を含む所定のパターンで遊技者に報知するための発光表示器３０をリール２１の外部に配置するスロットマシンが記載されている（特に、図２、３及び段落００１７参照）。
　そして、引用発明及び文献２に記載のスロットマシンは、いずれも遊技者に対して演出表示を行う点で共通しているので、引用発明に文献２記載の技術を適用し、引用発明のＬＥＤ基板の各々を正面の９つの絵柄３３の側方及びリールドラム３１の外部に配置して、本願補正発明のような構成とすることは、当業者が容易に想到し得る。
　
　以上のとおりであるから、上記相違点１及び２に係る本願補正発明の構成は、当業者が容易に想到し得たものというべきである。
　さらに、本願補正発明の作用効果も、引用発明及び文献２記載のスロットマシンから当業者が予測できる範囲のものである。
　したがって、本願補正発明は、引用発明及び文献２記載のスロットマシンに基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、同法第１５９条第１項において読み替えて準用する同法第５３条第１項の規定により却下されるべきものである。
　
３．本願発明について
　平成１６年６月２４日付けの手続補正は上記のとおり却下され、平成１６年４月１４日付けの手続補正は平成１６年５月１３日付けの補正の却下の決定により却下されているので、本願の請求項１に係る発明（以下、「本願発明」という。）は、平成１６年１月２１日付けの手続補正書によって補正された明細書の特許請求の範囲の請求項１に記載された事項により特定される、以下のとおりのものである。
「複数種類の遊技図柄を夫々可変表示可能な複数の回転リール(3,4,5) を有する複数の可変表示手段(3,4,5,12)を並べて配置した可変表示装置(10)と、変動停止時の遊技図柄の組合わせが特定態様になった場合に遊技者に有利な利益状態を発生させる利益状態発生手段(46)とを備えたスロットマシンにおいて、
　前記可変表示装置(10)は、前記複数の回転リール(3,4,5) に夫々対応させて電気的且つ可変に演出表示を行う演出表示手段(30)を備え、
　前記可変表示装置(10)の各可変表示手段(3,4,5,12)は、変動停止状態の複数の遊技図柄を表示可能な複数の表示部(13)を有し、前記演出表示手段(30)は、これら表示部(13)に夫々対応させて演出表示を行う複数の演出表示部(31)を有することを特徴とするスロットマシン。」
　
（１）引用文献
　原査定の拒絶の理由に引用された引用文献１及びその記載事項は、上記「２．（２）」に記載したとおりである。
　
（２）対比・判断
　本願発明は、上記「２．（１）」で検討した本願補正発明の「複数の演出表示手段」という構成を「演出表示手段」として、「複数の」の限定事項を省き、同じく「変動停止状態の回転リール（３，４，５）の複数の遊技図柄」という構成を「変動停止状態の複数の遊技図柄」として、「回転リール（３，４，５）の」の限定事項を省き、同じく「前記各演出表示手段（３０）」という構成を「前記演出表示手段（３０）」として、「各」の限定事項を省き、同じく「前記複数の表示部（１３）」という構成を誤記のある「これら表示部（１３）」という構成とし、さらに同じく「文字又はキャラクター又は数字による演出表示を行う」という構成を「演出表示を行う」として、「文字又はキャラクター又は数字による」の限定事項を省くとともに、同じく「複数の演出表示部（３１）の各々を対応する表示部（１３）の側方に隣接させて回転リール（３，４，５）の外部に配置した」という構成を「複数の演出表示部(31)を有する」として、「各々を対応する表示部（１３）の側方に隣接させて回転リール（３，４，５）の外部に配置した」の限定事項を省いたものである。
　そして、本願発明の構成要件を全て含み、さらに他の構成要件を付加し、誤記の訂正をしたものに相当する本願補正発明は、上記「２．（３）」に記載したように相違点１及び２を有していたが、そのうちの相違点２に係る構成は、平成１６年６月２４日付けの手続補正により限定されたものであるから、本願発明においては構成要件となっておらず、本願発明と引用発明との相違点は、上記相違点１のみとなる。
　そうすると、本願発明は、上記「２．（４）」に記載した判断理由を参酌すれば、引用発明に基づいて、当業者が容易に発明をすることができたものである。
　
（３）むすび
　以上のとおり、本願発明は、引用発明に基づいて、当業者が容易に発明をすることができたものであるから、本願請求項２については検討するまでもなく、本願は特許法第２９条第２項の規定により特許を受けることができない。
　よって、結論のとおり審決する。